(57)【要約】【課題】信号の減衰による表示の異常を抑制することが可能な画像表示装置、プロジェクター、及び画像表示装置の制御方法を提供する。【解決手段】まず、制御部は、補正量の設定を開始するための入力操作を受け付ける。即ち、操作パネル又はリモコンのメニューキーの操作、及びその後の所定の操作に応じて表示される入力信号メニューＧｉにて、「ＨＤＭＩ１  ＥＱ設定」又は「ＨＤＭＩ２  ＥＱ設定」の項目を選択する操作を受け付ける。その後、制御部は、ＯＳＤ処理部に指示をして、補正量を設定するための設定画像（設定値選択メニュー）を表示させる。そして、設定画像が表示されている状態で、補正量を設定するための入力操作、即ち補正量に対応する設定値を選択する入力操作を受け付ける。その後、制御部は、イコライザーに指示をして、設定された補正量、即ち設定画像にて選択された設定値に基づく補正量で補正を行わせ、画像信号を等化させる。【選択図】図２
2012049763.tif 000002
【特許請求の範囲】
【請求項１】
入力される画像信号を補正して等化するイコライザーと、
前記画像信号に基づく画像を表示する画像表示部と、
前記イコライザーによる補正量を設定するための設定画像を前記画像表示部に表示させる設定画像表示制御部と、
前記設定画像が表示されている状態で前記補正量を設定するための操作を受け付ける操作部と、を備え、
前記イコライザーは、前記操作部によって設定された前記補正量に基づいて前記画像信号を補正することを特徴とする画像表示装置。
【請求項２】
請求項１に記載の画像表示装置であって、
前記設定画像表示制御部は、複数の補正量から１つを選択させる設定画像を前記画像表示部に表示させ、
前記操作部は、前記補正量を設定するための操作として、前記複数の補正量から１つを選択する操作を受け付け、
前記イコライザーは、前記操作部によって選択された前記補正量に基づいて前記画像信号を補正することを特徴とする画像表示装置。
【請求項３】
請求項１又は２に記載の画像表示装置であって、
前記画像信号は、ＨＤＭＩ規格に基づく画像信号であることを特徴とする画像表示装置。
【請求項４】
入力される画像信号を補正して等化するイコライザーと、
前記画像信号に基づく画像を投写する画像投写部と、
前記イコライザーによる補正量を設定するための設定画像を前記画像投写部に投写させる設定画像表示制御部と、
前記設定画像が投写されている状態で前記補正量を設定するための操作を受け付ける操作部と、を備え、
前記イコライザーは、前記操作部によって設定された前記補正量に基づいて前記画像信号を補正することを特徴とするプロジェクター。
【請求項５】
入力される画像信号を補正して等化するイコライザーと、前記画像信号に基づく画像を表示する画像表示部と、を備えた画像表示装置の制御方法であって、
前記イコライザーによる補正量を設定するための設定画像を前記画像表示部に表示させる設定画像表示ステップと、
前記設定画像が表示されている状態で前記補正量を設定するための操作を受け付ける操作ステップと、
前記イコライザーが、前記操作ステップにて設定された前記補正量に基づいて前記画像信号を補正する調整ステップと、
を備えたことを特徴とする画像表示装置の制御方法。
【請求項６】
請求項５に記載の画像表示装置の制御方法であって、
前記設定画像表示ステップでは、複数の補正量から１つを選択させる設定画像を前記画像表示部に表示させ、
前記操作ステップでは、前記補正量を設定するための操作として、前記複数の補正量から１つを選択する操作を受け付け、
前記調整ステップでは、前記操作ステップにて選択された前記補正量に基づいて前記画像信号を補正することを特徴とする画像表示装置の制御方法。
【発明の詳細な説明】
【技術分野】
【０００１】
本発明は、画像表示装置、プロジェクター、及び画像表示装置の制御方法に関する。
【背景技術】
【０００２】
外部の画像供給装置から入力される画像信号（特に、高速で伝送されるデジタルの画像信号）に基づく画像を表示する画像表示装置において、画像供給装置から画像信号を伝送するケーブルの品質が悪い場合や、ケーブルが長すぎる場合等には、信号が著しく減衰して、表示品位が低下したり、表示が不能になったりする事態が生じ得る。このため、画像表示装置の多くには、減衰した信号を補正して等化するイコライザー（波形等化装置）が設けられている。このようなイコライザーの中には、信号の減衰状況を判別して適切な等化を行うことを目的としたイコライザーも種々提案されている（例えば、特許文献１参照）。
【先行技術文献】
【特許文献】
【０００３】
【特許文献１】特開２０１０−１３５９５７号公報
【発明の概要】
【発明が解決しようとする課題】
【０００４】
しかしながら、信号の減衰状況を判別して適切な等化を行うことは現実には容易ではない。このため、補正が十分でなかったり、過剰な補正がなされたりすることにより、表示の異常（表示品位の低下や表示の不能等）が生じてしまう場合があった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、入力される画像信号を補正して等化するイコライザーと、前記画像信号に基づく画像を表示する画像表示部と、前記イコライザーによる補正量を設定するための設定画像を前記画像表示部に表示させる設定画像表示制御部と、前記設定画像が表示されている状態で前記補正量を設定するための操作を受け付ける操作部と、を備え、前記イコライザーは、前記操作部によって設定された前記補正量に基づいて前記画像信号を補正することを特徴とする。
【０００７】
この画像表示装置によれば、イコライザーが、操作部の操作によって設定された補正量に基づいて画像信号を補正するため、ユーザーの設定によって補正量を調整することが可能となる。この結果、信号の減衰による表示の異常を抑制することが可能となる。
【０００８】
［適用例２］上記適用例に係る画像表示装置において、前記設定画像表示制御部は、複数の補正量から１つを選択させる設定画像を前記画像表示部に表示させ、前記操作部は、前記補正量を設定するための操作として、前記複数の補正量から１つを選択する操作を受け付け、前記イコライザーは、前記操作部によって選択された前記補正量に基づいて前記画像信号を補正することが望ましい。
【０００９】
この画像表示装置によれば、補正量を設定する際に、設定画像に表示される複数の補正量の中から１つを選択させるようにしているため、ユーザーは、補正量の設定を容易に行うことが可能となる。
【００１０】
［適用例３］上記適用例に係る画像表示装置において、前記画像信号は、ＨＤＭＩ規格に基づく画像信号であってもよい。
【００１１】
［適用例４］本適用例に係るプロジェクターは、入力される画像信号を補正して等化するイコライザーと、前記画像信号に基づく画像を投写する画像投写部と、前記イコライザーによる補正量を設定するための設定画像を前記画像投写部に投写させる設定画像表示制御部と、前記設定画像が投写されている状態で前記補正量を設定するための操作を受け付ける操作部と、を備え、前記イコライザーは、前記操作部によって設定された前記補正量に基づいて前記画像信号を補正することを特徴とする。
【００１２】
このプロジェクターによれば、イコライザーが、操作部の操作によって設定された補正量に基づいて画像信号を補正するため、ユーザーの設定によって補正量を調整することが可能となる。この結果、信号の減衰による表示の異常を抑制することが可能となる。
【００１３】
［適用例５］本適用例に係る画像表示装置の制御方法は、入力される画像信号を補正して等化するイコライザーと、前記画像信号に基づく画像を表示する画像表示部と、を備えた画像表示装置の制御方法であって、前記イコライザーによる補正量を設定するための設定画像を前記画像表示部に表示させる設定画像表示ステップと、前記設定画像が表示されている状態で前記補正量を設定するための操作を受け付ける操作ステップと、前記イコライザーが、前記操作ステップにて設定された前記補正量に基づいて前記画像信号を補正する調整ステップと、を備えたことを特徴とする。
【００１４】
この画像表示装置の制御方法によれば、イコライザーが、操作ステップでの操作によって設定された補正量に基づいて画像信号を補正するため、ユーザーの設定によって補正量を調整することが可能となる。この結果、信号の減衰による表示の異常を抑制することが可能となる。
【００１５】
［適用例６］上記適用例に係る画像表示装置の制御方法において、前記設定画像表示ステップでは、複数の補正量から１つを選択させる設定画像を前記画像表示部に表示させ、前記操作ステップでは、前記補正量を設定するための操作として、前記複数の補正量から１つを選択する操作を受け付け、前記調整ステップでは、前記操作ステップにて選択された前記補正量に基づいて前記画像信号を補正することを特徴とする。
【００１６】
この画像表示装置の制御方法によれば、補正量を設定する際に、設定画像に表示される複数の補正量の中から１つを選択させるようにしているため、ユーザーは、補正量の設定を容易に行うことが可能となる。
【図面の簡単な説明】
【００１７】
【図１】プロジェクターの概略構成を示すブロック図。
【図２】ＯＳＤ処理部によって表示されるメニュー画像を示す図。
【図３】補正量を設定するための設定画像を示す図。
【図４】補正量を設定する際のプロジェクターの動作を説明するフローチャート。
【発明を実施するための形態】
【００１８】
以下、画像表示装置としてのプロジェクターについて、図面を参照して説明する。
図１は、プロジェクターの概略構成を示すブロック図である。
図１に示すように、プロジェクター１は、画像投写部１０、制御部２０、記憶部２１、操作パネル２２、リモコン２３、受信部２４、画像信号入力部２５、画像処理部２６、ＯＳＤ処理部２７等を備えている。
【００１９】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、画像表示部に相当するものであり、光源装置１１から射出された光を、液晶ライトバルブ１２Ｒ，１２Ｇ，１２Ｂで変調して投写レンズ１３から投写し、スクリーンＳＣ等に画像を表示する。
【００２０】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された透過型の液晶パネル等によって構成される。液晶ライトバルブ１２Ｒ，１２Ｇ，１２Ｂは、複数の画素（図示せず）がマトリクス状に配列された画素領域を備えており、液晶に対して画素毎に駆動電圧を印加可能になっている。液晶駆動部１４が、入力される画像信号に応じた駆動電圧を各画素に印加すると、各画素は、画像信号に応じた光透過率に設定される。このため、光源装置１１から射出された光は、この液晶ライトバルブ１２Ｒ，１２Ｇ，１２Ｂの画素領域を透過することによって色光毎に変調される。そして、変調された各色光は、図示しない色合成光学系によって合成された後に投写レンズ１３から投写され、画像信号に応じたカラーの画像がスクリーンＳＣ上に表示される。
【００２２】
制御部２０は、ＣＰＵ（Central Processing Unit）や、各種データ等の一時記憶に用いられるＲＡＭ（Random Access Memory）等を備え、記憶部２１に記憶されている制御プログラムに従ってＣＰＵが動作することによりプロジェクター１の動作を制御する。つまり、制御部２０は、記憶部２１とともにコンピューターとして機能する。
【００２３】
記憶部２１は、フラッシュメモリーや、マスクＲＯＭ、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００２４】
操作パネル２２及びリモコン２３は、ユーザーからの入力操作を受け付ける操作部に相当するものであり、ユーザーがプロジェクター１に対して各種指示を行うための複数の操作キーを備えている。本実施形態の操作パネル２２及びリモコン２３が備える操作キーには、電源のオンとオフとを切り替えるための電源キー、入力ソースを切り替えるための入力切替キー、各種設定用のメニュー画像を表示させるためのメニューキー（Ｍｅｎｕキー）、メニュー上での項目の選択等に用いられる方向キー（上下左右に対応する４つのキー）、メニュー上で選択した項目を確定する際等に用いられる決定キー（Ｅｎｔｅｒキー）、操作の取り消し等に用いられる取消キー（Ｅｓｃキー）等がある（いずれも図示せず）。ユーザーが操作パネル２２の各種操作キーを操作すると、操作パネル２２は、操作された操作キーに対応する制御信号を制御部２０に出力する。また、ユーザーがリモコン２３の操作キーを操作すると、リモコン２３は、操作された操作キーに応じた赤外線の操作信号を発し、受信部２４がこれを受信して制御部２０に伝達する。
【００２５】
画像信号入力部２５には、外部の画像供給装置（図示せず）とケーブル（図示せず）を介して接続される複数の入力端子が接続されており、画像供給装置から各種形式の画像信号が入力される。プロジェクター１が備える入力端子には、コンピューター等からアナログＲＧＢ信号が入力されるＶＧＡ端子Ｃ１、ビデオ機器等からＳビデオ信号が入力されるＳ端子Ｃ２、ビデオ機器等からコンポジット信号が入力されるコンポジット端子Ｃ３、ビデオ機器等からのコンポーネント信号が入力されるコンポーネント端子Ｃ４の他、ビデオ機器やコンピューターからＨＤＭＩ（High Definition Multimedia Interface）規格に基づくデジタルの画像信号が入力される２つのＨＤＭＩ端子Ｃ５，Ｃ６等がある。ユーザーは、操作パネル２２又はリモコン２３の入力切替キーを操作することによって所望の入力端子を指定可能になっており、ユーザーによって入力端子が指定されると、制御部２０は、画像信号入力部２５に指示をして、指定された入力端子に入力されている画像信号を画像処理部２６に出力させる。
【００２６】
ここで、画像信号入力部２５は、図示しないＡＤコンバーターを備えており、アナログの画像信号が入力される入力端子がユーザーによって指定された場合には、ＡＤコンバーターでデジタルに変換された画像信号が画像処理部２６に出力される。また、画像信号入力部２５は、ＨＤＭＩ端子Ｃ５，Ｃ６に入力されたデジタルの画像信号を等化するためのイコライザー（ＥＱ）２５ａを備えており、ユーザーによってＨＤＭＩ端子Ｃ５，Ｃ６が指定された場合には、イコライザー２５ａで等化された画像信号が画像処理部２６に出力される。
【００２７】
ＨＤＭＩは、デジタル家電やコンピューターをターゲットにしたインターフェイス規格であり、高精細度の画像信号を、マルチチャンネルオーディオ信号とともに非圧縮で高品質のままデジタル伝送することができる。また、ＨＤＭＩにおける信号の伝送方式には、ＴＭＤＳ（Transition Minimized Differential Signaling）が用いられ、ＲＧＢ各１チャンネルとクロック同期用１チャンネルの計４チャンネルが差動信号として伝送される。
【００２８】
イコライザー２５ａは、制御部２０の指示に基づいて、伝送により劣化（減衰）する信号を補正（ゲイン調整）して等化する。信号の減衰は、信号の周波数帯域に依存し、高周波数帯域の信号ほど減衰しやすい。また、信号の減衰は、使用しているケーブルの影響を受けやすく、ケーブルの品質が悪い場合や、ケーブル長（伝送路長）が長い場合ほど減衰しやすい。このため、本実施形態のイコライザー２５ａは、ユーザーの入力操作に基づいて、補正の度合い（補正量）を２段階に調整できるようになっている。
【００２９】
画像処理部２６は、画像信号入力部２５から入力される画像信号を、液晶ライトバルブ１２Ｒ，１２Ｇ，１２Ｂの各画素の階調を表す画像信号、即ち各画素に印加する駆動電圧を規定するための画像信号に変換する。さらに、画像処理部２６は、制御部２０の指示に基づいて、変換した画像信号に対して、明るさ、コントラスト、シャープネス、色合い等の画質を調整するための画質調整処理等を行い、処理後の画像信号をＯＳＤ処理部２７に出力する。
【００３０】
ＯＳＤ処理部２７は、制御部２０の指示に基づいて、画像信号入力部２５に入力された画像信号に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部２７は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部２７は、必要なＯＳＤ画像情報をＯＳＤメモリーから読み出し、入力画像上の所定の位置にＯＳＤ画像が重畳されるように、画像処理部２６から入力される画像信号にこのＯＳＤ画像情報を合成する。ＯＳＤ画像情報が合成された画像信号は、液晶駆動部１４に出力される。なお、制御部２０からＯＳＤ画像を重畳する旨の指示がない場合には、ＯＳＤ処理部２７は、画像処理部２６から入力される画像信号を、そのまま液晶駆動部１４に出力する。
【００３１】
液晶駆動部１４は、ＯＳＤ処理部２７から入力される画像信号に従って液晶ライトバルブ１２Ｒ，１２Ｇ，１２Ｂを駆動する。そして、これにより、液晶ライトバルブ１２Ｒ，１２Ｇ，１２Ｂは、画像信号に応じた画像を形成し、この画像が投写レンズ１３から投写される。
【００３２】
図２は、ＯＳＤ処理部２７によって表示されるメニュー画像を示す図である。ユーザーが操作パネル２２又はリモコン２３のメニューキーを操作すると、制御部２０は、ＯＳＤ処理部２７に指示をして、図２に示すようなメニュー画像を表示させる。
【００３３】
図２に示すように、メニュー画像Ｇｍは、第１の選択部Ｇ１と、第２の選択部Ｇ２と、操作ガイドＧ３とを含んでいる。第１の選択部Ｇ１には、「画質」、「映像」、「設定」等の項目名が縦方向に配列されており、ユーザーは、操作パネル２２又はリモコン２３に備わる上下の方向キーを操作することによって所望の項目を選択することができる。第２の選択部Ｇ２には、第１の選択部Ｇ１で選択された項目に関するメニュー等が表示される。例えば、第１の選択部Ｇ１で「設定」の項目が選択された場合には、プロジェクター１の設定に関する複数の項目（「設置モード」、「表示設定」、「入力信号」等）を含むメニュー（図示せず）が第２の選択部Ｇ２内に表示され、さらにこの中から「入力信号」が選択されると、図２に示すように、入力信号に関するメニュー（入力信号メニューＧｉ）が第２の選択部Ｇ２内に表示される。操作ガイドＧ３は、操作を案内するためのものであり、操作キーとその動作内容とが対応付けられて表記されている。
【００３４】
図２に示すように、入力信号メニューＧｉには、「ビデオ信号方式」、「Ｃｏｍｐｏｎｅｎｔ」、「ＨＤＭＩ１  ＥＱ設定」「ＨＤＭＩ２  ＥＱ設定」の４つの項目名が縦方向に配列されている。「ビデオ信号方式」は、ビデオ信号方式を「ＮＴＳＣ」、「ＰＡＬ」、「ＳＥＣＡＭ」、「オート（自動設定）」の中から選択するための項目であり、「Ｃｏｍｐｏｎｅｎｔ」は、コンポーネント端子Ｃ４に入力される信号の種別を「ＹＣｂＣｒ」、「ＹＰｂＰｒ」、及び「オート（自動設定）」の中から選択するための項目である。また、「ＨＤＭＩ１  ＥＱ設定」及び「ＨＤＭＩ２  ＥＱ設定」は、それぞれＨＤＭＩ端子Ｃ５，Ｃ６に入力された画像信号を等化するためのイコライザー２５ａの補正量を設定するための項目であり、イコライザー２５ａの補正量をＨＤＭＩ端子Ｃ５，Ｃ６毎に設定可能になっている。この入力信号メニューＧｉが表示されている状態で、ユーザーが、操作パネル２２又はリモコン２３の方向キーを操作することによって「ＨＤＭＩ１  ＥＱ設定」又は「ＨＤＭＩ２  ＥＱ設定」を選択し、決定キーを操作すると、制御部２０は、ＯＳＤ処理部２７に指示をして、補正量を設定するための設定画像Ｇｓ（図３参照）を重畳表示させる。
【００３５】
図３は、補正量を設定するための設定画像Ｇｓを示す図である。
図３に示すように、設定画像Ｇｓは、第３の選択部Ｇ４と操作ガイドＧ５とを含んでおり、第３の選択部Ｇ４には、設定値選択メニューＧｖが含まれている。設定値選択メニューＧｖには、「１」及び「２」の２つの設定値が縦方向に配列されており、ユーザーは、操作パネル２２又はリモコン２３の上下の方向キーを操作することによって所望の設定値を選択することができる。そして、いずれか一方を選択して決定キーを操作すると、設定値が確定する。制御部２０は、確定した設定値を記憶部２１に記憶するとともに、イコライザー２５ａに指示をして、これ以降、選択された設定値に対応する補正量で画像信号の補正を行わせる。具体的には、設定値として「１」が選択された場合には、比較的小さな補正量（信号の劣化が比較的小さい場合に適した補正量）で補正を行わせ、設定値として「２」が選択された場合には、比較的大きな補正量（信号の劣化が比較的大きい場合に適した補正量）で補正を行わせる。
【００３６】
本実施形態のプロジェクター１は、上記のように動作するため、ユーザーは、使用するケーブル等に応じて補正量（設定値）を適宜調整することにより、補正が十分でなかったり、補正が過剰になったりすることを抑制することができる。
【００３７】
図４は、上述したプロジェクター１の動作、即ち補正量を設定する際のプロジェクター１の動作を説明するフローチャートである。
図４に示すように、まず、制御部２０は、補正量の設定を開始するための入力操作を受け付ける（ステップＳ１０１）。即ち、メニュー画像Ｇｍを表示させるためのメニューキーの操作と、入力信号ニューＧｉ（図２参照）を表示させるためのその後の所定の操作と、入力信号メニューＧｉで「ＨＤＭＩ１  ＥＱ設定」又は「ＨＤＭＩ２  ＥＱ設定」の項目を選択する操作とを受け付ける。
【００３８】
入力信号メニューＧｉにて「ＨＤＭＩ１  ＥＱ設定」又は「ＨＤＭＩ２  ＥＱ設定」の項目が選択されて、決定キーが操作されると、制御部２０は、ＯＳＤ処理部２７に指示をして、補正量を設定するための設定画像Ｇｓ（設定値選択メニューＧｖ）を表示させる（ステップＳ１０２）。そして、設定画像Ｇｓが表示されている状態で、補正量を設定するための入力操作、即ち補正量に対応する設定値を選択するユーザーの入力操作を受け付ける（ステップＳ１０３）。
【００３９】
その後、制御部２０は、イコライザー２５ａに指示をして、設定された補正量、即ち設定画像Ｇｓにて選択された設定値に対応する補正量で画像信号の補正を行わせ、画像信号を等化させる（ステップＳ１０４）。これにより、イコライザー２５ａは、ユーザーの設定に応じた補正量での等化を開始する。
【００４０】
以上説明したように、本実施形態のプロジェクター１によれば、以下の効果を得ることができる。
【００４１】
（１）本実施形態のプロジェクター１によれば、イコライザー２５ａは、操作パネル２２又はリモコン２３の操作によって設定された補正量に基づいて画像信号を補正するため、ユーザーの設定によって補正量を調整することが可能となる。この結果、信号の減衰によって表示品位が低下したり、表示が不能な状態になったりすること（表示の異常）を抑制することが可能となる。また、本実施形態のプロジェクター１によれば、ユーザーの操作に基づいて補正量が設定されるため、信号の減衰状況を判別する手段を設ける必要がない。このため、イコライザー２５ａの構成を簡略化することが可能となり、コストを低減することが可能となる。
【００４２】
（２）本実施形態のプロジェクター１によれば、イコライザー２５ａの補正量を設定する際に、設定画像Ｇｓ（設定値選択メニューＧｖ）に表示される複数の設定値（補正量）の中から１つを選択させるようにしているため、ユーザーは、補正量の設定を容易に行うことが可能となる。
【００４３】
（３）本実施形態のプロジェクター１によれば、補正量を設定するための設定画像Ｇｓは、画像投写部１０によって入力画像に重畳されて表示される。つまり、設定画像Ｇｓは、入力画像を表示するための画像投写部１０によって表示されるため、設定画像Ｇｓを表示するための表示手段を別途備える必要がない。
【００４４】
なお、本実施形態において、設定画像Ｇｓを表示する際の制御部２０及びＯＳＤ処理部２７が設定画像表示制御部に相当する。また、設定画像Ｇｓを表示するステップＳ１０２が設定画像表示ステップに相当し、補正量を設定するための入力操作を受け付けるステップＳ１０３が操作ステップに相当し、設定された補正量でイコライザー２５ａに補正を行わせて信号を等化させるステップＳ１０４が調整ステップに相当する。
【００４５】
（変形例）
また、上記実施形態は、以下のように変更してもよい。
【００４６】
上記実施形態では、イコライザー２５ａの補正量が２段階に調整可能になっているが、より多段階に調整できるようにしてもよい。
【００４７】
上記実施形態では、プロジェクター１は、ＨＤＭＩ端子Ｃ５，Ｃ６を備えた構成になっているが、デジタルの画像信号が入力される入力端子であれば、ＨＤＭＩ端子Ｃ５，Ｃ６に限定されない。例えば、ＤＶＩ（Digital Visual Interface）端子を備えた構成として、このＤＶＩ端子に入力される画像信号をイコライザー２５ａで等化するようにしてもよい。
【００４８】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００４９】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００５０】
上記実施形態では、光源装置１１は、放電型の光源ランプ１１ａによって構成されているが、ＬＥＤ（Light Emitting Diode：発光ダイオード）光源やレーザー光源等の固体光源、或いはその他の光源に適用することもできる。
【００５１】
上記実施形態では、画像表示装置の一例として、プロジェクター１について説明しているが、画像表示装置はプロジェクター１に限定されない。例えば、透過型のスクリーンを一体的に備えたリアプロジェクター、液晶ディスプレイ、プラズマディスプレイ、ＳＥＤ（Surface-conduction Electron-emitter Display）、有機ＥＬ（Electro Luminescence）ディスプレイ等、他の画像表示装置に適用することも可能である。
【符号の説明】
【００５２】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…記憶部、２２…操作パネル、２３…リモコン、２４…受信部、２５…画像信号入力部、２５ａ…イコライザー、２６…画像処理部、２７…ＯＳＤ処理部、Ｃ１…ＶＧＡ端子、Ｃ２…Ｓ端子、Ｃ３…コンポジット端子、Ｃ４…コンポーネント端子、Ｃ５…ＨＤＭＩ端子、Ｇｍ…メニュー画像、Ｇ１…第１の選択部、Ｇ２…第２の選択部、Ｇ３…操作ガイド、Ｇｉ…入力信号メニュー、Ｇｓ…設定画像、Ｇ４…第３の選択部、Ｇ５…操作ガイド、Ｇｖ…設定値選択メニュー、ＳＣ…スクリーン。
【図１】
2012049763.tif 000003
【図２】
2012049763.tif 000004
【図３】
2012049763.tif 000005
【図４】
2012049763.tif 000006